(57)【要約】【課題】正面から見た場合でも階調反転が生じない液晶表示装置を提供する。【解決手段】液晶パネル１２の中央部分での黒レベル表示電圧を最小輝度電圧と略等しく設定し、液晶パネル１２の周辺部分での最小輝度電圧を前記黒表示電圧より大きくし、液晶パネルの中央部分における液晶層の厚みを周辺部分よりも薄くしたものである。【選択図】      図１
2008164860.tif 000002
【特許請求の範囲】
【請求項１】
アレイ基板と対向基板の間にＯＣＢ液晶層を挟持した複数の表示画素からなる所定の表示領域を備えた液晶パネルと、各前記表示画素の前記ＯＣＢ液晶層に入力される映像信号に対応して予め決められた電圧範囲の中の少なくとも一つの電圧を選択して印加することにより前記映像信号に対する表示輝度を決定する電圧印加部と、を有する液晶表示装置において、
前記各表示画素の表示輝度は前記電圧範囲内で単調増加または単調減少し、かつ、前記表示領域の中央領域における前記各表示画素の表示輝度は黒表示時に最小輝度となるよう、前記液晶パネルのリタデーションまたは前記電圧印加部の前記電圧範囲が前記表示画素に応じて設定されている、
液晶表示装置。
【請求項２】
前記液晶パネルの中央部分におけるリタデーションと、前記液晶パネルの周辺部分におけるリタデーションとが異なる、
請求項１記載の液晶表示装置。
【請求項３】
前記液晶パネルの中央部分におけるＯＣＢ液晶層の厚さと、前記液晶パネルの周辺部分におけるＯＣＢ液晶層の厚さとが異なる、
請求項２記載の液晶表示装置。
【請求項４】
前記液晶パネルの中央部分におけるＯＣＢ液晶層の厚さよりも、前記液晶パネルの周辺部分におけるＯＣＢ液晶層の厚さが厚い、
請求項２記載の液晶表示装置。
【請求項５】
前記液晶パネルは少なくとも一主表面に配置された位相差板を含み、
前記液晶パネルの中央部分における前記位相差板のリタデーションと、前記液晶パネルの周辺部分における前記位相差板のリタデーションとが異なる、
請求項２記載の液晶表示装置。
【請求項６】
前記液晶パネルの中央部分における前記位相差板のリタデーションよりも、前記液晶パネルの周辺部分における前記位相差板のリタデーションが小さい、
請求項５記載の液晶表示装置。
【請求項７】
前記液晶パネルの中央部分における前記表示画素に印加される表示輝度を最小とする前記電圧と、前記液晶パネルの周辺部分における前記表示画素に印加される表示輝度を最小とする前記電圧とが異なる、
請求項１記載の液晶表示装置。
【請求項８】
前記液晶パネルの中央部分における前記表示画素に印加される表示輝度を最小とする前記電圧よりも、前記液晶パネルの周辺部分における前記表示画素に印加される表示輝度を最小とする前記電圧が大きい、
請求項７記載の液晶表示装置。
【請求項９】
前記液晶パネルは、前記アレイ基板と前記対向基板との間に柱状スペーサを複数設けて前記液晶層の厚みを維持するものであり、
前記中央部分における前記柱状スペーサの配置密度を、前記周辺部分の配置密度より低くした、
請求項３記載の液晶表示装置。
【請求項１０】
前記液晶パネルは、前記アレイ基板と前記対向基板との間に柱状スペーサを複数設けて前記液晶層の厚みを維持するものであり、
前記中央部分における前記柱状スペーサの太さを、前記周辺部分の太さより細くした、
請求項３記載の液晶表示装置。
【請求項１１】
アレイ基板と対向基板の間にＯＣＢ液晶層を挟持した複数の表示画素からなる所定の表示領域を備えた液晶パネルと、各前記表示画素の前記ＯＣＢ液晶層に入力される映像信号に対応して予め決められた電圧範囲の中の少なくとも一つの電圧を選択して印加することにより前記映像信号に対する表示輝度を決定する電圧印加部と、を有する液晶表示装置において、
前記表示領域の中央領域における表示画素の最小輝度電圧よりも周辺領域における表示画素の最小輝度電圧が大きくなるよう前記液晶パネルのリタデーションが設定されている、
液晶表示装置。
【請求項１２】
アレイ基板と対向基板の間にＯＣＢ液晶層を挟持した複数の表示画素からなる所定の表示領域を備えた液晶パネルと、各前記表示画素の前記ＯＣＢ液晶層に入力される映像信号に対応して予め決められた電圧範囲の中の少なくとも一つの電圧を選択して印加することにより前記映像信号に対する表示輝度を決定する電圧印加部と、を有する液晶表示装置において、
前記表示領域の中央領域における前記表示画素の黒表示時の電圧は、前記表示輝度を極小とすると共に、周辺領域における前記表示画素の黒表示時の電圧よりも大きく設定されている、
液晶表示装置。
【発明の詳細な説明】
【技術分野】
【０００１】
本発明は、ＯＣＢ型の液晶表示装置に関するものである。
【背景技術】
【０００２】
最近の液晶表示装置においては、ＴＮ型（ツイスティッドネマチック）型に加えて、ＯＣＢ（Ｏｐｔｉｃａｌｌｙ  Ｃｏｍｐｅｎｓａｔｅｄ  Ｂｅｎｄ）型の液晶表示装置が提案されている（例えば、特許文献１、特許文献２参照）。
【０００３】
このＯＣＢ型液晶表示装置は、映像を表示させるために、ＯＣＢ液晶層の配向状態を、図７に示すようにスプレイ配向状態からベンド配向状態へ転移させ、このベンド配向状態を維持する必要がある。
【０００４】
そのため、高電圧を各フレーム内において転移防止電圧電圧を一定比率で印加することにより、スプレイ配向状態への逆転移を防止している。この際、転移防止電圧として黒レベル表示電圧を用いることにより（黒挿入）、動画視認性も同時に改善することが知られている。
【特許文献１】特開２００１−２８１７０７号公報
【特許文献２】特開２００５−２３４３７６号公報
【発明の開示】
【発明が解決しようとする課題】
【０００５】
ＴＮ型の液晶表示装置では、液晶パネルを正面から見た場合には、例えば図８に示す電圧−輝度特性のグラフに示すように、輝度は印加電圧の増大に伴い単調に減少し極小値は存在しない。したがって、液晶パネルの面内で液晶層の厚みのばらつき等により電圧−輝度特性が面内でばらついたとしても、液晶パネルを正面から見る上では、階調反転が生じて視認性が著しく悪化することがない。
【０００６】
ところが、ＯＣＢ型の液晶表示装置においては、液晶パネルを正面から見た場合の電圧−輝度特性が、略二次曲線となっているため、表示輝度が極小値となる電圧が存在する。したがって、液晶パネルの面内で液晶層の厚みのばらつき等により電圧−輝度特性がばらつくと、表示輝度が極小値となる電圧を境界として、その左右の電圧−輝度特性が使用されることなる。このため、液晶パネルを正面から見る場合でも階調反転が生じて視認性が悪化するという問題点がある。
【０００７】
そこで、本発明は上記問題点に鑑み、正面から見た場合でも不所望な階調反転が生じない液晶表示装置を提供する。
【課題を解決するための手段】
【０００８】
本発明は、アレイ基板と対向基板の間にＯＣＢ液晶層を挟持した複数の表示画素からなる所定の表示領域を備えた液晶パネルと、各前記表示画素の前記ＯＣＢ液晶層に入力される映像信号に対応して予め決められた電圧範囲の中の少なくとも一つの電圧を選択して印加することにより前記映像信号に対する表示輝度を決定する電圧印加部と、を有する液晶表示装置において、前記各表示画素の表示輝度は前記電圧範囲内で単調増加または単調減少し、かつ、前記表示領域の中央領域における前記各表示画素の表示輝度は黒表示時に実質的に最小輝度となるよう、前記液晶パネルのリタデーションまたは前記電圧印加部の前記電圧範囲が前記表示画素に応じて設定されている液晶表示装置である。
【発明の効果】
【０００９】
本発明であると、階調反転が生じず視認性が悪くなることがない。
【発明を実施するための最良の形態】
【００１０】
以下、本発明の一実施形態の液晶表示装置１０について図面に基づいて説明する。
【００１１】
（第１の実施形態）
以下、本発明の第１の実施形態の液晶表示装置１０について図１〜図６に基づいて説明する。本実施形態の液晶表示装置１０は、ＯＣＢ型のノーマリーホワイトの液晶表示装置である。
【００１２】
（１）液晶パネル１２の縦断面構造
図１に基づいて液晶表示装置１０における液晶パネル１２の縦断面構造について説明する。なお、この液晶表示装置１０は、後述するシール材２０で囲まれた有効表示領域が対角３２インチで構成されている。
【００１３】
ガラス基板等の絶縁性の基板よりなるアレイ基板１４と対向基板１６とを対向して配置し、その間にＯＣＢ型の液晶層１８が挟持されている。この場合に、アレイ基板１４と対向基板１６の外周部分はシール材２０によって封止されている。液晶層１８の厚みは、アレイ基板１４上に形成された柱状スペーサ２２によって制御されている。また、アレイ基板１４と対向基板１６とは、平行にラビング処理が施され液晶層１８の液晶は約１０度のプレチルト角を有している。さらに、液晶パネル１２の中央部分における液晶層１８の厚みを、周辺部分（表示画面端近傍）における厚みよりも薄く（液晶パネル１２の中央部分における液晶層１８の厚みに対して周辺部分における厚みを厚く）なるようにした。この構造及び理由については、後から説明する。
【００１４】
アレイ基板１４の下面には位相差板２４と偏光板２６が貼り付けられている。この位相差板２４としては、例えばハイブリッド配向したディスコティック液晶を有する位相差板が好適である。また、対向基板１６の上面にも同じく位相差板２４と偏光板２６が貼り付けられている。
【００１５】
（２）液晶表示装置１０の電気的構成
次に、液晶表示装置１０の電気的構成について図２及び図３に基づいて説明する。
【００１６】
図２において、液晶パネル１２には、それぞれ信号線駆動回路３８と走査線駆動回路４０が接続されている。すなわち、信号線駆動回路３８には信号線２８が接続され、走査線駆動回路４０には走査線３０と補助容量線３６が接続されている。
【００１７】
また、液晶表示装置１０は、コントローラ４２を有している。このコントローラ４２は、外部から入力した映像信号及び同期信号に基づいて、信号線駆動回路３８に水平同期信号とデジタル映像信号、水平スタート信号等を供給し、また、走査線駆動回路４０には、垂直同期信号、垂直スタート信号等を供給している。さらに、コントローラ４２には対向電圧発生回路４４が接続され、この対向電圧発生回路４４が対向基板１６に対向電圧を供給している。
【００１８】
さらに、液晶パネル１２のアレイ基板１４上には、図３に示すように図中縦方向に信号線２８が配線され、この信号線２８と直交するように走査線３０が配線されている。信号線２８と走査線３０の交差近傍にはポリシリコン（ｐ−Ｓｉ）を活性層として用いた薄膜トランジスタ（ＴＦＴ）３２が設けられ、ＴＦＴ３２のソース電極に信号線２８が接続され、ゲート電極に走査線３０が接続されている。ＴＦＴ３２のドレイン電極３２には画素電極が接続され、対向基板１６からの印加電圧を受けることができる。また、ＴＦＴ３２のドレイン電極には補助容量３４を介して補助容量線３６が接続されている。
【００１９】
（３）黒レベル表示電圧
次に、液晶層１８に印加する黒レベル表示電圧について図４に基づいて説明する。本実施形態における黒レベル表示電圧は、上記で説明したようにＯＣＢ型液晶においてベンド配向状態を維持し、スプレイ配向への逆転移を防止すると共に、動画視認性を改善するために、各フレーム内に一定比率で挿入される黒表示画像に用いられる電圧を意味している（図７参照）。なお、通常の黒色の画面を表示する場合についても、この黒レベル表示電圧を適用することができる。
【００２０】
この液晶パネル１２においては、黒表示を行うときの黒レベル表示電圧と、液晶パネル１２の中央部分での輝度が最小となる中央最小輝度電圧とを略等しくなるように、液晶パネル１２の中央部分におけるリタデーションを設定している。
【００２１】
一方、液晶パネル１２の周辺部分においては、中央部分とは異なる設定となっている。すなわち、前記中央最小輝度電圧が、周辺部分における周辺最小輝度電圧より小さくなるように液晶パネル１２の周辺部分のリタデーションを設定している。これを実現するために、この実施形態では、図１に示すように、液晶層１８の中央部分の厚みと周辺部分の厚みとが相違するようにしている。具体的には、液晶材料として、Δｎが０．１５のものを用い、中央部分における液晶層１８の厚みを周辺部分における厚みよりも薄く（中央部分における液晶層１８の厚みに対して周辺部分における厚みを厚く）しており、周辺部分から中央部分に向かって徐々に薄くなるように構成されている。ここでは中央部分の厚みを４．３μｍ、周辺部分の厚みを４．５μｍとして、その差を０．２μｍとしている。これにより、液晶パネル１２のリタデーション（Δｎ×ｄ（厚み））は中央部分と周辺部分とで徐々に異なり、中央部分よりも周辺部分が大きくなる。
【００２２】
このように構成することで、図４に示すように、常温における液晶パネル１２の中央部分での中央最小輝度表示電圧は約５．７Ｖとなり、これに対して周辺部分における周辺最小輝度電圧は約５．９Ｖとなる。
【００２３】
そして、黒レベル表示電圧が中央最小輝度電圧となるように、例えば対向電圧が６．５Ｖであるところ、黒レベル表示電圧を極性反転を考慮して、１２．２Ｖまたは０．８Ｖとなるように設定した。これにより、中央部分の液晶層には、黒表示時に実質的に５．７Ｖの最小輝度表示電圧が印加されることとなり、良好な黒表示が実現される。
【００２４】
一方、周辺部分では、黒レベル表示電圧が周辺最小輝度電圧に比べて若干小さい電圧となるため、黒表示時の表示輝度（透過率）は中央部分に比べて若干高くなる。しかしながら、この表示輝度（透過率）は中央部分から周辺に向かって徐々に変化することとなるため、表示上、視認されることはない。
【００２５】
上述したように、この液晶表示装置１０では、上記した構成、即ち液晶パネルのリタデーションの制御により、各表示画素において、表示輝度が印加電圧の増大に伴い単調減少する領域のみが使用されるため、不所望な階調反転が生じることがない。
【００２６】
なお、周辺部分における黒レベル表示電圧と周辺最小輝度表示電圧との差は、０．５Ｖ以下であることが望ましく、０．１Ｖ以上、０．３Ｖ以下であることがより好ましい。
【００２７】
これを実現するためのセルギャップの差は、例えば０．１μｍ以上、０．５μｍ以下、より好ましくは０．３μｍ以下である。
【００２８】
上記の範囲は、画面サイズによっても若干変化するものの、例えば対角１０インチ以上、より好ましくは１５インチ以上であれば、表示に影響を及ぼすことはない。
【００２９】
これにより、液晶パネル１２の中央部分においてはもちろん、周辺部分においても階調反転が生じることのない視認性の優れた液晶表示装置１０を実現することができる。
【００３０】
（４）液晶層１８の厚みを変化させる第１の構造
次に、上記のように液晶パネル１２において中央部分を周辺部分より薄くする第１の構造について図１及び図５に基づいて説明する。
【００３１】
図５の上段の図は、液晶パネル１２を正面から見た図であり、下段の図は信号線２８と走査線３８とが直交し、その直交部分に柱状スペーサ２２が設けられた状態を示す拡大平面図である。
【００３２】
柱状スペーサ２２は、感光性樹脂からなりフォトリソグラフィによりパターニングされる。図５に示すように、液晶パネル１２の中央部分と周辺部分で柱状スペーサ２２の配置密度が変えてある。すなわち、表示画面端近傍の周辺部分における配置密度を、他の領域の配置密度よりも大きくしている。これによって、周辺部分における柱状スペーサ２２の変形量は他の領域に比べて小さく、これにより中央部分に比べて厚みが大きくなる。
【００３３】
これにより、上記のように、液晶パネルの中央部分における厚みを、周辺部分よりも薄くすることができる。
【００３４】
（５）液晶層１８の厚みを変化させる第２の構造
次に、図６に基づいて、液晶層１８の厚みを変化させる第２の構造について説明する。
【００３５】
図６の上段の図は、液晶パネル１２を正面から見た図であり、下段の図は信号線２８と走査線３８とが直交し、その直交部分に柱状スペーサ２２が設けられた状態を示す拡大平面図である。
【００３６】
第２の構造においては、液晶パネルの表示画面端近傍の周辺部分を除く中央部分における柱状スペーサ２２の太さを、周辺部分における柱状スペーサよりも小さくして、中央部分における柱状スペーサ２２の変形量を大きくするようにしている。
【００３７】
このように中央部分における柱状スペーサ２２の太さを周辺部分よりも細くすることにより、変形量が大きくなり、液晶パネル１２の中央部分での厚みを周辺部分よりも薄くすることができる。
【００３８】
（６）液晶層１８の厚みを変化させる第３の構造
次に、液晶層１８の厚みを変化させる第３の構造について説明する。
【００３９】
第３の構造は、上記の第１の構造と第２の構造を組み合わせたものである。すなわち、周辺部分における柱状スペーサ２２の配置密度を高くし太さを太くする。一方、中央部分における柱状スペーサ２２の密度を低くし太さを細くしてもよい。
【００４０】
（７）変更例
本発明は上記各実施形態に限らず、その主旨を逸脱しない限り種々に変更することができる。
【００４１】
例えば表示画面端近傍の周辺部分では、スペーサの下地層として、０．１μｍ程度の絶縁膜を配置しても構わない。
【００４２】
また、上記実施形態においては、黒レベル表示電圧を中央部分における中央最小輝度と略等しくなるように調整したが、液晶層厚の製造ばらつきを考慮し、この黒レベル表示電圧を中央最小輝度電圧よりも若干小さくなるように調整しても良い。但し、極端に小さくしてしまうと正面コントラストが低下してしまうため、０．３Ｖを超えない範囲であることが望ましい。これにより、製造ばらつきにより中央部分のセルギャップが若干変化しても、表示輝度が極小値となる電圧を境界として、一方の電圧−輝度特性のみが使用、換言すると表示輝度が印加電圧の増大に伴い単調減少する領域のみが使用されるため、不所望な階調反転の発生を確実に防止できる。
【００４３】
上記した各実施形態では、逆転移防止電圧として黒レベル表示電圧を用いたが、効果的に逆転移を防止するのであれば、温度変化に応じて電圧レベルを可変しても良い。また、逆転移防止電圧には、表示輝度が最小となる電圧を超えた高い電圧が用いられてもかまわない。
【００４４】
（第２の実施形態）
次に、本発明の第２の実施形態について図９〜図１１を参照して説明する。
【００４５】
第１の実施形態では、表示領域の中央部分と周辺部分とでセルギャップを異ならしめることにより、表示領域内での液晶パネルのリタデーションを中央部分から周辺部分に向かって徐々に最適値から増大させた。
【００４６】
これに対して、第２の実施形態では、入力される映像信号に対応して出力される電圧範囲を調整することにより、第１の実施形態と実質的に同等の効果を得るものである。
【００４７】
即ち、表示領域の中央領域における各表示画素の表示輝度は黒表示時に実質的に最小輝度となるよう、また各表示画素の表示輝度は、液晶層厚に製造ばらつきが生じても電圧範囲内で単調減少するよう、各領域毎にその電圧範囲を設定することにより達成される。
【００４８】
以下、この方法について説明する。
【００４９】
ここでは、図９に示すように、表示領域を３つの領域に区分し、例えば表示領域に対して１／４以下である対角８インチの中央領域をＡ領域、対角３０インチの中央領域のＡ領域を除く領域をＢ領域、その他の周辺をＣ領域とする。そして、各領域に低階調表示時に印加される電圧をそれぞれ異ならしめた。
【００５０】
具体的には、この液晶表示装置１０は、第１の実施形態とは異なり、図１０に示すように、外部から入力される８ｂｉｔの映像信号をメモリするフレームメモリ７０、フレームメモリ７０から読み出される映像信号を、いずれの領域に対応するかに応じて対応する変換テーブルに基づいて１０ｂｉｔの映像信号に変換するデータ変換部７２と、データ変換部７２から出力される１０ｂｉｔの映像信号に基づいて、対応するアナログ電圧を各信号線に出力するＤＡＣ７４とによって構成されている。
【００５１】
データ変換部７２に格納される変換テーブルは、例えば図１１に示されるものであって、ここでは０から１５階調までの１６階調分について、各領域（領域Ａ、領域Ｂ、及び領域Ｃ）で同じ階調であっても、出力される電圧を異ならしめるようにデータ変換する。
【００５２】
図１１中の点線は中央領域Ａに対応する階調−電圧変換特性を示すもので、０Ｖから５．７Ｖの範囲の電圧が映像信号に応じて出力される。そして、この５．７Ｖが、この液晶表示パネルの最小輝度電圧と一致している。なお、製造ばらつき等を考慮する場合は、最小輝度電圧から若干シフトさせた、例えば５．６Ｖとしてもかまわない。
【００５３】
図１１中の一点鎖線は、中間領域Ｂに対応する階調−電圧変換特性を示すもので、０Ｖから５．５Ｖの範囲の電圧が出力され、中央領域Ａとは、０から１５階調に対応する電圧が異なる他は同一に設定されている。
【００５４】
図１１中の二点鎖線は、周辺領域Ｃに対応する階調−電圧変換特性を示すもので、０Ｖから５．４Ｖの範囲の電圧が出力され、中央領域Ａ、中間領域Ｂとは、０から１５階調に対応する電圧が異なる他は同一に設定されている。
【００５５】
このような構成とすることにより、第１の実施形態と同等の効果を得ることができる。
【００５６】
なお、このように領域毎で映像信号（表示階調）に対して液晶層に印加される電圧を直接異ならしめる他に、フレーム・レート・コントロール（ＦＲＣ）技術を用い、複数フレームにわたる印加電圧の平均値を異ならしめることにより同等の効果を得ることができる。この場合は、階調電圧数を増やすことなく実現することができるという利点がある。
【００５７】
また、第１の実施形態のギャップの調整と併用してもかまわない。
【００５８】
上記実施形態によれば、表示領域の中央領域では良好な黒表示特性が得られ、また製造ばらつきによりセルギャップが変化しても、表示輝度が極小値となる電圧を境界として、一方の電圧−輝度特性のみが使用される、換言すると、いずれの領域においても各表示画素の表示輝度は電圧範囲内で単調減少するよう設定されているため、不所望な階調反転の発生を確実に防止できる。
【００５９】
（第３の実施形態）
次に、本発明の第３の実施形態について説明する。
【００６０】
第３の実施形態では、上記各実施形態に代えて、例えば各領域毎に液晶パネルに貼り付けられる位相差フィルムのリタデーションを変更することによっても達成することができる。
【００６１】
例えば、図９の中央領域Ａのリタデーションを６０ｎｍ、中間領域Ｂのリタデーションを５７ｎｍ、周辺領域Ｃのリタデーションを５６ｎｍに設定することで達成される。
【００６２】
なお、このようなリタデーションの調整は、表示領域全体を被覆する位相差フィルムに、中間領域Ｂを被覆する位相差フィルム、中央領域を被覆する位相差フィルムを順次貼り合わせることにより実現することができる。この場合も、上記した印加電圧、セルギャップの調整と組み合わせても構わない。
【００６３】
また、例えば印加する電圧範囲を６Ｖから１２Ｖの範囲としたＯＣＢ型液晶表示装置であってもかまわない。この場合は、上記した各実施形態の構成とは逆に、セルギャップであれば中央部分から周辺部分に向かって徐々に小さくなるよう、また黒表示時の印加電圧は中央部分から周辺部分に向かって徐々に大きくなるように、更に位相差板のリタデーションは中央部分から周辺部分に向かって徐々に大きくなるように、それぞれ構成されることとなる。いずれの場合も、中央部分では黒表示時に表示輝度が実質的に極小となり、かつ各所で表示輝度が極小となる電圧よりも大きい電圧が印加されるように構成される。
【００６４】
このような構成により、上記した実施形態と同様の効果を得ることができる。
【図面の簡単な説明】
【００６５】
【図１】本発明の第１の実施形態を示す液晶パネルの縦断面図である。
【図２】液晶表示装置のブロック図である。
【図３】画素の構成を示す回路図である。
【図４】本発明になる液晶表示装置の一実施形態における輝度と電圧の関係を示すグラフである。
【図５】液晶層の厚みを変化させる第１の構造である。
【図６】液晶層の厚みを変化させる第２の構造である。
【図７】ＯＣＢ型の液晶表示装置におけるスプレイ配向からベンド配向に変化する場合の図面である。
【図８】従来のＴＮ型の液晶表示装置における輝度と電圧の関係を示すグラフである。
【図９】第２の実施形態の液晶パネルの説明図である。
【図１０】第２の実施形態の映像信号関係のブロック図である。
【図１１】第２の実施形態における階調と電圧の関係を示すグラフである。
【符号の説明】
【００６６】
１０  液晶表示装置
１２  液晶パネル
１４  アレイ基板
１６  対向基板
１８  液晶層
２０  シール材
２２  柱状スペーサ
２８  信号線
３０  走査線
３２  ＴＦＴ
３４  補助容量
３６  補助容量線
【図１】
2008164860.tif 000003
【図２】
2008164860.tif 000004
【図３】
2008164860.tif 000005
【図４】
2008164860.tif 000006
【図５】
2008164860.tif 000007
【図６】
2008164860.tif 000008
【図７】
2008164860.tif 000009
【図８】
2008164860.tif 000010
【図９】
2008164860.tif 000011
【図１０】
2008164860.tif 000012
【図１１】
2008164860.tif 000013